(57)【要約】【課題】フレコンバッグ内の粉粒体を能率よく吸引搬送するための手段を提供する。【解決手段】床面に載置する部分としての基台を設け、基台に支柱を立設するとともに、該支柱上縁に位置して水平に張り出すケースを設け、別設の吸引装置に接続されるとともに該ケースよりワイヤーにて吊下される吸引管と、搬送するための粉粒体を収納したフレコンバッグを吊下するための吊下ワイヤーとを有する装置において、支柱に設けたウインチ機構部の操作にて、吸引管の昇降とフレコンバッグの昇降とが互いに逆方向となるよう構成したことを特徴とする。【選択図】図１
2012218943.tif 000002
【特許請求の範囲】
【請求項１】
床面に載置する部分としての基台を設け、基台に支柱を立設するとともに、該支柱上縁に位置して水平に張り出すケースを設け、別設の吸引装置に接続されるとともに該ケースよりワイヤーにて吊下される吸引管と、搬送するための粉粒体を収納したフレコンバッグを吊下するための吊下ワイヤーとを有する装置において、ウインチドラムへのワイヤー巻回方向を違えることにより、支柱に設けたウインチ機構部の操作にて、吸引管の昇降とフレコンバッグの昇降とが互いに逆方向となるよう構成したことを特徴とする粉粒体吸引搬送装置。
【発明の詳細な説明】
【技術分野】
【０００１】  この発明は、フレキシブルコンテナバッグ（粉末や粒状物の荷物を保管・運搬するための袋状の包材。略称フレコンバッグ）内の粉粒体を残さず効率よく搬送するための吸引搬送装置に関する。
【背景技術】
【０００２】  従来より、フレコンバッグ内の粉粒体の搬送時は、吸引型の搬送機を用いて人力にて行っており、手間と労力を要するものであるが、より能率よく搬送するための手段が求められている。本発明は上記に鑑み、フレコンバッグ内容物を能率よく吸引搬送するための装置を提供することを目的として発明され、開発されたものである。
【発明の開示】
【発明が解決しようとする課題】
【０００３】  既述のように、従来法では人による作業のため、時間と労力を要し、また作業者の技量に左右されるものである。機械を用いて吸引搬送する場合において、吸引ノズルをフレコンバッグ内に単に挿入するだけでは十分な効果を発揮し得ない。すなわち、粉粒体はその粒子摩擦のために、原形状を保持しようとする力が働き、吸引後にはその残留物はフレコンバッグ内壁近傍にドーナツ状の形状として残るのである。
この課題を解決するために本発明では、吸引部分を吊り下げた状態にてフレコンバッグ内を下降させ、また、作業後期にてはフレコンバッグを上昇させてその外形を変化させて内容物を吸引するものとした。これにより、フレコンバッグ内の粉粒体は壁を作らずにバッグ内に崩れて堆積するので、バッグ内の粉粒体を残さず能率よく吸引搬送できるものとなったのである。
【課題を解決するための手段】
【０００４】  課題を解決する手段として本発明は以下の構成とした。
すなわち、床面に載置する部分としての基台を設け、基台に支柱を立設するとともに、該支柱上縁に位置して水平に張り出すケースを設け、別設の吸引装置に接続されるとともに該ケースよりワイヤーにて吊下される吸引管と、搬送するための粉粒体を収納したフレコンバッグを吊下するための吊下ワイヤーとを有する装置において、支柱に設けたウインチ機構部の操作にて、吸引管の昇降とフレコンバッグの昇降とが互いに逆方向となるよう構成する。本発明は、以上の構成よりなる粉粒体吸引搬送装置である。
【発明の効果】
【０００５】  本発明は下記の効果を有する。
１．一つのウインチ操作にて吸引管の下降を行うとともに、該吸引管の下降力調整ウエイ  トを設けたので、フレコンバッグ内の吸引管を常に立てた状態に保ってスムースに吸引  することができる。
２．フレコンバッグは吊下ワイヤーを介してスプリング経由にてウインチドラムに巻回さ  れているので、フレコンバッグが所定重量以下になると、このフレコンバッグは収容物  減少に伴って自動上昇して、その下部をすぼめた状態となるので、すべての収容物を吸  引搬送することができる。
３．吸引管吊下ワイヤーとフレコンバッグの吊下ワイヤーを各々外径の異なるウインチド  ラムへの巻回とし、また、該ワイヤーの巻回方向を各々変えて構成したので、一つのウ  インチ操作にて、吸引管下降とフレコンバッグ上昇の作業を互いの速度を変えて行うこ  とができる。
【発明を実施するための最良の形態】
【０００６】  以下、本発明の実施形態について説明する。
図において、１は平面視略逆コ字形の基台、２は基台の一片中央に立設される一部を切り欠いた中空角体状の支柱、３は支柱上縁に支柱より水平に突出して設けられる一部を切り欠いた中空箱体状のケースである。
支柱内適所にはウインチ機構部４が設けられる。このウインチ機構部は、市販のウインチ同様の逆転防止とその解除機能を有するラチェット機構（詳細図示略）、ハンドル５、小径ドラム６，大径ドラム７を各々有して大小のドラムは同軸に設けられる。ケース内には図４にて示すごとく、プーリー１０〜１５が各々設けられる。
２０はその一部をゆるやかに折曲した管体によるガイド管で、ケース外面に適宜支持部材にて固定され、その曲状管端を下に向けて位置する。このガイド管下端には可撓性を有する吸引ホース２１の一端が取り付けられ、この吸引ホース他端には、その先端を斜方に切除した吸引管２２が取り付けられる。この吸引管と吸引ホースの取り付け箇所には枠状のホース支持部材２３が設けられ、このホース支持部材は吸引管吊下ワイヤー２４にて吊下され、このワイヤーは前記のプーリー１１およびプーリー１５を介して支柱内を下方に伸び、ウエイトプーリー９を介して大径ドラム７に巻回されている。
従って、前記の吸引管２２には常にウエイト重量が働いている。なお、吸引管とホース支持部材の合計重量はウエイト重量より大である。吸引管下端は斜方に切断され、吸引管上部外周には外気流入孔２５が複数個穿設される。【０００７】  ３０は粉粒体を収容する可撓性のフレコンバッグ、３１および３２は該フレコンバッグを吊下しているバッグ吊下ワイヤーである。該ワイヤー３１はプーリー１０およびプーリー１３を介して支柱内を下方に伸び、引張コイルスプリング３３に接続される。他方のワイヤー３２はプーリー１２およびプーリー１４を介して支柱内を下方に伸び、引張コイルスプリング３４に接続される。これら双方のスプリングはスプリング固定板３５に固定され、このスプリング固定板には接続ワイヤー３６が接続され、該ワイヤーは前記の小径ドラムに巻回される。なお、既述の吸引管吊下ワイヤーと接続ワイヤーとは図７〜図８に示すごとく、その巻回方向は互いに逆方向となる。
本発明使用に際しては、まず、粉粒体の入ったフレコンバッグを基台または床面上に置き、バッグ吊下ワイヤー３１および３２を該バッグの紐に各々取り付ける。このとき、吸引ホースは図１のように上位置としておく。次に、ウインチ操作としてハンドルを回して吸引管吊下ワイヤーおよび吸引管を下降させる。このとき、バッグ吊下ワイヤーにも上昇しようとする力が働くが、フレコンバッグはその内容物重量が大きいので、引張コイルスプリング３３および３４が伸びてこの力を吸収する。【０００８】  やがて吸引管下端は内容物としての粉粒体上面に接するので、ウインチ操作を停止する。
吸引管にはウエイト重量が働いているので、この吸引管は直立状態を保っている。
別設の吸引装置にガイド管２０が接続されているので、吸引を行うことにて粉粒体は吸引管下端から吸引され、ホースおよびガイド管を通って搬送される。この吸引により、吸引管下端近傍の粉粒体から吸引されるが、粉粒体はこの吸引によりできる空隙へと崩れ落ちて次々と吸引されていく。また、吸引管等の重量はウエイト重量より大のために、吸引管は次第に自動的に降下していく。
内容物重量が小さくなり、ある重量以下になると、ワイヤーを介して接続されている引張コイルスプリングの引張力にてこのフレコンバッグは上昇し、内容物を該バッグ中央下部に寄せることとなり、バッグ内のすべての粉粒体を吸引することができる。
吸引搬送終了後は、既述と逆手順にてフレコンバッグを下げて外し、吸引管を上位置とし、再び内容物の入ったフレコンバッグをセットして作業を進めることができる。
なお、本発明の吸引管下端は斜方切断面を有して、吸引中の管のつまりは防止される。
また、吸引管上部外周には空気孔２５を複数個設けており、万一吸引管が詰まりそうになっても、この空気孔より外気が吸引されるために管の詰まるおそれは回避される。【０００９】  以上、本発明について記したが、本発明は手動による吸引管の昇降とフレコンバッグの昇降を行うことができ、フレコンバッグ内容物重量の減少にて該フレコンバッグを自動上昇させてその形状を可変として、該バッグ内のすべての粉粒体の吸引搬送を可能としたところにその特徴を有するものである。既述のように、従来は人力を用いた作業のため、効率的な吸引搬送は難しかったが、本発明にてこの課題が解消されるものとなったのである。
また、比較的シンプルな構成であり、制作コスト面での負担も大きくはない。
なお、例示において、吸引管吊下ワイヤーを大径ドラムに、接続ワイヤーを小径ドラムに各々巻回させているが、これは吸引管の昇降範囲が大のためにこの構成としている。
また、例示は実施の一例であって近似の他の構成としてもよい。
以上のごとく、本発明にて能率的に粉粒体の吸引搬送を行うための装置を得ることができる。
【図面の簡単な説明】
【００１０】
【図１】  本発明の構造説明図（正面視）
【図２】  本発明の構造説明図（左側面視・一部略）
【図３】  本発明の構造説明図（平面視・一部略）
【図４】  本発明のプーリー配置説明図（平面視）
【図５】  本発明の要部構造説明図
【図６】  本発明の要部構造説明図
【図７】  本発明の吊下ワイヤー巻回説明図
【図８】  本発明の吊下ワイヤー巻回説明図
【図９】  本発明の吸引管説明図
【図１０】  本発明の作動説明図
【符号の説明】
【００１１】  １  基台
２  支柱
３  ケース
４  ウインチ機構部
５  ハンドル
６  小径ドラム
７  大径ドラム
８  ウエイト
９  ウエイトプーリー
１０  プーリー
１１  プーリー
１２  プーリー
１３  プーリー
１４  プーリー
１５  プーリー
２０  ガイド管
２１  吸引ホース
２２  吸引管
２３  ホース支持部材
２４  吸引管吊下ワイヤー
２５  外気流入孔
３０  フレコンバッグ
３１  バッグ吊下ワイヤー
３２  バッグ吊下ワイヤー
３３  引張コイルスプリング
３４  引張コイルスプリング
３５  スプリング固定板
３６  接続ワイヤー
【図１】
2012218943.tif 000003
【図２】
2012218943.tif 000004
【図３】
2012218943.tif 000005
【図４】
2012218943.tif 000006
【図５】
2012218943.tif 000007
【図６】
2012218943.tif 000008
【図７】
2012218943.tif 000009
【図８】
2012218943.tif 000010
【図９】
2012218943.tif 000011
【図１０】
2012218943.tif 000012